(57)【特許請求の範囲】
【請求項１】
移送時に大きさを縮小できる折り畳みハウスであって、
第１のロープと第２のロープを含むロープの締緩により離間が制御される互いに向き合う２枚の第１壁と、
折り畳まれた状態の長さが前記第１壁の高さの半分より長く、展開中に中心部が上方に開くようにその第１の中心線で折り畳むことができ、かつ、ワイヤーにより前記第１壁の重さが利用されて展開が制御される屋根、折り畳まれた状態の長さが前記第１壁の高さの半分より長く、展開中に中心部が下方に開くようにその第２の中心線で折り畳むことができ、かつ、前記第２の中心線が前記第１の中心線からずれている床、及び、前記屋根及び前記床を折り畳むまでは内部で折り畳むことができ、その中心部で折り畳み不能な２枚の第２壁を有する折り畳み部と、
前記２枚の第１壁又は前記２枚の第２壁のいずれかにある少なくとも１つの扉と、を含み、
前記２枚の第１壁は、その上部の離間が前記第１のロープの締緩により制御され、その下部の離間が前記第２のロープの締緩により制御されることを特徴とする折り畳みハウス。
【請求項２】
前記２枚の第１壁の上部の離間と下部の離間は、前記第１のロープの締緩と前記第２のロープの締緩により前記屋根と前記床が接触しないように制御されることを特徴とする請求項１に記載の折り畳みハウス。
【請求項３】
前記ワイヤーは、滑車を支持する第１のワイヤーと、一方が前記屋根の中心部と連結され、他方が二股に分かれ、前記二股の一方が前記滑車を介して前記第１壁の一方と連結され、前記二股の他方が前記滑車を介して前記第１壁の他方と連結される第２のワイヤーを含むことを特徴とする請求項１又は２に記載の折り畳みハウス。
【請求項４】
前記床は、前記床の中心部を突き上げる補助具により折り畳まれることを特徴とする請求項１から３のいずれか１項に記載の折り畳みハウス。
【発明の詳細な説明】
【技術分野】
【０００１】
本発明は、移送時に折り畳んで大きさを縮小できる折り畳みハウスに関する。
【背景技術】
【０００２】
移送時に折り畳んで大きさを縮小できる折り畳みハウスが知られている（例えば特許文献１参照）。特許文献１に開示される折り畳みハウスでは、折り畳まれた屋根の中心部先端と折り畳まれた床の中心部先端がぶつからずに垂直方向を基準に同軸上に位置している。このため、折り畳まれた屋根と折り畳まれた床は相互にすれ違うように延伸することができずに、折り畳まれた屋根と折り畳まれた床のそれぞれの長さは折り畳みハウスの高さの約２分の１に制限される。したがって、折り畳みハウスの短手方向に設けられる壁（以下、妻壁という）の幅（以下、妻幅という）は、基本的に折り畳みハウスの高さ以上の幅とすることができない。【０００３】
一方、折り畳まれた屋根の中心部先端と折り畳まれた床の中心部先端がぶつからずに垂直方向を基準に異軸上に位置する折り畳みハウスも知られている（例えば特許文献２参照）。
【先行技術文献】
【特許文献】
【０００４】
【特許文献１】米国特許第４９８９３７９号明細書
【特許文献２】特開昭６１−２１１４３１号公報
【発明の概要】
【発明が解決しようとする課題】
【０００５】
ここで、上述した特許文献２に開示される折り畳みハウスおいて、折り畳まれた屋根の中心部先端を下方に延伸し、折り畳まれた床の中心部先端を上方に延伸することによって妻壁の妻幅を広げる場合、折り畳みハウスを展開する途中で屋根の一部と床の一部が衝突又は接触し、屋根と床の少なくとも一方が破損するおそれがある。【０００６】
より詳しく説明すると、特許文献２に開示される折り畳みハウスでは、先ず折り畳まれた状態で着地した折り畳みハウスから、展開を抑止している２箇所のロック止め金が外されて、折り畳みハウスを展開できる状態に移行させる。この状態で、屋根に設けられた棟吊金具にクレーンのフックを引っ掛けて折り畳みハウスを吊り上げていくと、屋根は徐々に展開されていくが、床は地面から離れれば自重により展開されるものの、地面に着地した状態では床と地面との摩擦により必ずしも屋根の展開と同期して展開していかない。すなわち、屋根と床は同時並行で展開されていかないため、折り畳みハウスを展開する途中で屋根の一部と床の一部が衝突又は接触し、円滑に展開されないばかりか屋根と床の少なくとも一方が破損する場合がある。【０００７】
仮に、ロック止め金によって抑止された折り畳み状態の折り畳みハウスをクレーンで吊り上げたまま、２箇所のロック止め金を外せば、床の自重により屋根と床が同時並行で展開されるが、折り畳みハウスは急激に展開するため、ロック止め金を外す作業員に多大な危険性が及ぶという問題点がある。【０００８】
そこで、本発明は、折り畳まれた折り畳みハウスの高さ以上の妻幅を有し、円滑かつ安全に設置可能な折り畳みハウスを提供すること目的とする。
【課題を解決するための手段】
【０００９】
本明細書に開示の折り畳みハウスは、移送時に大きさを縮小できる折り畳みハウスであって、第１のロープと第２のロープを含むロープの締緩により離間が制御される互いに向き合う２枚の第１壁と、折り畳まれた状態の長さが前記第１壁の高さの半分より長く、展開中に中心部が上方に開くようにその第１の中心線で折り畳むことができ、かつ、ワイヤーにより前記第１壁の重さが利用されて展開が制御される屋根、折り畳まれた状態の長さが前記第１壁の高さの半分より長く、展開中に中心部が下方に開くようにその第２の中心線で折り畳むことができ、かつ、前記第２の中心線が前記第１の中心線からずれている床、及び、前記屋根及び前記床を折り畳むまでは内部で折り畳むことができ、その中心部で折り畳み不能な２枚の第２壁を有する折り畳み部と、前記２枚の第１壁又は前記２枚の第２壁のいずれかにある少なくとも１つの扉と、を含み、前記２枚の第１壁は、その上部の離間が前記第１のロープの締緩により制御され、その下部の離間が前記第２のロープの締緩により制御されることを特徴とする折り畳みハウスである。
【発明の効果】
【００１０】
本明細書に開示の折り畳みハウスによれば、折り畳まれた折り畳みハウスの高さ以上の妻幅を有する妻壁を含む折り畳みハウスを円滑かつ安全に設置することができる。
【図面の簡単な説明】
【００１１】
【図１】図１は、折り畳まれた状態の折り畳みハウスの側面図の一例である。
【図２】図２は、滑車を含む部分の部分拡大図の一例である。
【図３】図３は、手動ロープの平面図の一例である。
【図４】図４は、折り畳みハウスの断面図の一例である。
【図５】図５は、折り畳みハウスの断面図の一例である。
【図６】図６は、折り畳みハウスの断面図の一例である。
【図７】図７は、折り畳みハウスの断面図の一例である。
【図８】図８（ａ）〜（ｃ）は、折り畳みハウスが展開されていく様子の一例を示す側面図である。
【図９】図９は、折り畳みハウスの断面図の一例である。
【図１０】図１０は、丁番を含む部分の部分拡大図である。
【図１１】図１１は、丁番を含む部分の部分拡大図である。
【図１２】図１２は、折り畳みハウスの断面図の一例である。
【図１３】図１３は、妻壁の一部と丁番を含む部分の拡大図である。
【図１４】図１４は、折り畳みハウスの斜視図の一例である。
【発明を実施するための形態】
【００１２】
以下、本発明を実施するための形態について図面を参照して説明する。
【００１３】
まず、図１から図３を参照して全体的な構成について説明する。
図１は、折り畳まれた状態の折り畳みハウス２５の側面図の一例である。図２は、滑車Ｂを含む部分１００の部分拡大図の一例である。図３は、手動ロープＨ１の平面図の一例である。
尚、図１及び図２では、妻壁５１ａ，５１ｂが展開された場合における妻壁５１ｂ側から見た側面図が表されている。図１において、折り畳みハウス２５は、地面ＧＬに着地している。折り畳みハウス２５は、図１に示すように、互いに向き合う第１壁としての２枚の側壁１，２を含んでいる。
【００１４】
側壁１の上端部は側壁２の方向に向かって張り出す副屋根３を含んでいる。副屋根３は、折り畳みハウス２５の屋根の一部になる。図１では副屋根３の厚みが便宜上均一に示されているが、副屋根３の側壁２側の厚みは副屋根３の側壁１側の厚みより厚い。したがって、副屋根３の天頂面は傾斜している。側壁１の下端部は側壁２の方向に向かって張り出す副床７を含んでいる。副床７は、折り畳みハウス２５の床の一部になる。副床７の幅は、副屋根３の幅より広い。副屋根３と副床７の先端にはそれぞれ丁番１１，１４が設けられている。丁番１１の一方の羽は副屋根３に固定され、丁番１１の他方の羽は主屋根５の一端に固定されている。丁番１４の一方の羽は副床７に固定され、丁番１４の他方の羽は主床９の一端に固定されている。
【００１５】
側壁２の上端部は側壁１の方向に向かって張り出す副屋根４を含んでいる。副屋根４も、折り畳みハウス２５の屋根の一部になる。図１でも副屋根４の厚みが便宜上均一に示されているが、副屋根４の側壁１側の厚みは副屋根４の側壁２側の厚みより厚い。したがって、副屋根４の天頂面は傾斜している。側壁２の下端部は側壁１の方向に向かって張り出す副床８を含んでいる。副床８は、折り畳みハウス２５の床の一部になる。副床８の幅は、副屋根４の幅より狭い。副屋根４と副床８の先端にはそれぞれ丁番１３，１６が設けられている。丁番１３の一方の羽は副屋根４に固定され、丁番１３の他方の羽は主屋根６の一端に固定されている。丁番１６の一方の羽は副床８に固定され、丁番１６の他方の羽は主床１０の一端に固定されている。副屋根４と副床７は概ね同じ幅を有する。副屋根３と副床８は概ね同じ幅を有する。
【００１６】
主屋根５，６の他端には丁番１２が設けられている。丁番１２の一方の羽は主屋根５に固定されている。丁番１２の他方の羽は主屋根６に固定されている。主屋根５，６が展開される場合、丁番１２が展開の中心部となる。この中心部を垂直に通過する第１中心線を基準に主屋根５，６を自由に折り畳むことができる。主屋根５，６は、側壁１と側壁２の離間であって、副床７の上方に形成される空間に垂れ下がった状態で収まる。主屋根５，６は、側壁１と側壁２との間の中心に対し左側に位置する。折り畳まれた状態の主屋根５，６のそれぞれの長さは、側壁１，２の高さの半分より長い。したがって、折り畳まれた主屋根５，６の他端に設けられた丁番１２の位置は、折り畳みハウス２５の高さ又は側壁１，２の高さの中央を示す仮想線３０より下になる。
【００１７】
主床９，１０の他端には丁番１５が設けられている。丁番１５の一方の羽は主床９に固定されている。丁番１５の他方の羽は主床１０に固定されている。主床９，１０が展開される場合、丁番１５が展開の中心部となる。この中心部を垂直に通過する第２中心線を基準に主床９，１０を自由に折り畳むことができる。尚、第２中心線は第１中心線からずれている。主床９，１０は、側壁１と側壁２の離間であって、副屋根４の下方に形成される空間に山折りで迫り上がった状態で収まる。主床９，１０は、側壁１と側壁２との間の中心に対し右側に位置する。折り畳まれた状態の主床９，１０のそれぞれの長さは、側壁１，２の高さの半分より長い。したがって、折り畳まれた主床９，１０の他端に設けられた丁番１５の位置は、仮想線３０より上になる。
【００１８】
側壁１と主屋根５との間には折り畳まれた状態の妻壁５１ａが収容されている。側壁２と主床１０との間には折り畳まれた状態の妻壁５１ｂが収容されている。第２壁としての妻壁５１ａ，５１ｂは、主屋根５，６及び主床９、１０と違い、その中心部で折り畳むことができない。妻壁５１ａ，５１ｂの高さは、概ね側壁１，２の高さから副屋根３，４及び副床７，８の厚みを差し引いた高さである。妻壁５１ａ，５１ｂ、主屋根５，６及び主床９、１０により折り畳み部が形成される。尚、妻壁５１ａ，５１ｂの展開の詳細については後述する。
【００１９】
次に、専用ワイヤーＡについて説明する。
【００２０】
専用ワイヤーＡは、滑車Ｂを支持する主ワイヤーＦと、滑車Ｂに支持される脇ワイヤーＤ１，Ｄ２を含んでいる。主ワイヤーＦの一端はクレーンと連結されている。脇ワイヤーＤ１，Ｄ２のそれぞれの一端は、リング状の継ぎ手フックＥと連結される。脇ワイヤーＤ１の他端は側壁１と連結される。脇ワイヤーＤ２の他端は側壁２と連結される。継ぎ手フックＥにはセンターワイヤーＣの一端も連結される。センターワイヤーＣの他端は、主屋根５と主屋根６との中心部と連結される。尚、継ぎ手フックＥを利用せずに、一方が主屋根５，６の中心部と連結され、他方が二股に分岐したセンターワイヤーＣを利用してもよい。この場合、二股の一方が脇ワイヤーＤ１となって滑車Ｂを介して側壁１と連結される。二股の他方が脇ワイヤーＤ２となって滑車Ｂを介して側壁２と連結される。
【００２１】
具体的には、図２に示すように、滑車Ｂは同じ径を有する二連式の滑車（又は２車式の滑車）となっている。継ぎ手フックＥと連結した脇ワイヤーＤ１は例えば奥側の滑車に引っ掛けられる。継ぎ手フックＥと連結した脇ワイヤーＤ２は例えば手前側の滑車に引っ掛けられる。したがって、継ぎ手フックＥと連結されていない脇ワイヤーＤ１，Ｄ２の他端がそれぞれ引っ張られると、奥側の滑車は反時計回りに回転し、手前側の滑車は時計回りに回転する。すなわち、奥側の滑車と手前側の滑車は互いに異なる回転方向で回転する。センターワイヤーＣや継ぎ手フックＥが引っ張られた場合も、同様に、奥側の滑車と手前側の滑車は互いに異なる回転方向で回転する。この場合、奥側の滑車は時計回りに回転し、手前側の滑車は反時計回りに回転する。ここで、図１に示すように、脇ワイヤーＤ１，Ｄ２及びセンターワイヤーＣのそれぞれの先端には、フックＧ１，Ｇ２，Ｇ３が取り付けられている。また、側壁１の上端部には、天頂方向に向けられた主吊り手１７ａが取り付けられている。側壁２の上端部には、天頂方向に向けられた主吊り手１７ｂが取り付けられている。丁番１２には、天頂方向に向けられたセンター吊り手２３が取り付けられている。
【００２２】
したがって、図１に示すように、脇ワイヤーＤ１に取り付けられたフックＧ１が主吊り手１７ａに引っ掛けられることで、脇ワイヤーＤ１は側壁１と連結される。同様に、脇ワイヤーＤ２に取り付けられたフックＧ２が主吊り手１７ｂに引っ掛けられることで、脇ワイヤーＤ２は側壁２と連結される。センターワイヤーＣに取り付けられたフックＧ３がセンター吊り手２３に引っ掛けられることで、センターワイヤーＣは主屋根５と主屋根６との中心部と連結される。専用ワイヤーＡにより側壁１，２の重さが利用されて主屋根５，６の展開が制御される。
【００２３】
次に、手動ロープＨ１，Ｈ２について説明する。
【００２４】
図３に示すように、手動ロープＨ１の一方の先端部Ｉは、環状の形状を有する。手動ロープＨ２も同様である。先端部Ｉは、図１に示すように、側壁１の側部から突き出た１つの取っ手Ｋ３に引っ掛けられる。手動ロープＨ２であれば、先端部Ｉは、１つの取っ手Ｋ１に引っ掛けられる。一方、図３に示すように、手動ロープＨ１の他方の先端部は、握り部Ｊを有する。手動ロープＨ２も同様である。握り部Ｊは作業員に握られる。また、図１に示すように、手動ロープＨ１の概ね中央部は、側壁２の側部から突き出た２つ並んだ取っ手Ｋ４にＳ字形に引っ掛けられる。手動ロープＨ２であれば、側壁２の側部から突き出た２つ並んだ取っ手Ｋ２にＳ字形に引っ掛けられる。
【００２５】
詳細は後述するが、折り畳みハウス２５を展開する場合には、図１に示すように、先端部Ｉを取っ手Ｋ３に引っ掛け、中央部を２つ並んだ取っ手Ｋ４にＳ字形に引っ掛けた手動ロープＨ１が利用される。手動ロープＨ１を徐々に緩めたり必要に応じて締めたりすることにより側壁１の下部と側壁２の下部の離間が制御されながら、折り畳みハウス２５が展開する。逆に、折り畳みハウス２５を折り畳む場合には、図１に示すように、先端部Ｉを取っ手Ｋ１に引っ掛け、中央部を２つ並んだ取っ手Ｋ３にＳ字形に引っ掛けた手動ロープＨ２が利用される。手動ロープＨ２を締めたり必要に応じて緩めたりすることにより側壁１の上部と側壁２の上部の離間が制御されながら、折り畳みハウス２５が折り畳まれる。
【００２６】
次に、図４から図１１を参照して、折り畳みハウス２５が展開されていく様子について説明する。
【００２７】
図４から図７及び図９は、折り畳みハウス２５の断面図の一例である。図４から図７及び図９では、後述する折り畳みハウス２５のＡ−Ａ断面図が示されている（図１４参照）。図８は、折り畳みハウス２５が展開されていく様子の一例を示す側面図である。図１０は、丁番１２を含む部分２００の部分拡大図である。図１１は、丁番１３を含む部分３００の部分拡大図である。
尚、図４から図９では、丁番１１〜１６が省略されて示されている。また、図４から図７及び図９は、妻壁５１ａ，５１ｂが展開された場合における妻壁５１ｂ側から見た断面図を表している。したがって、手動ロープＨ１は、図４から図７及び図９において示されていない。
【００２８】
まず、図４に示すように、地面ＧＬに着地した折り畳みハウス２５に専用ワイヤーＡが連結される。具体的には、上述したように、脇ワイヤーＤ１の先端に取り付けられたフックＧ１（不図示）が主吊り手１７ａに引っ掛けられる。脇ワイヤーＤ２の先端に取り付けられたフックＧ２（不図示）が主吊り手１７ｂに引っ掛けられる。センターワイヤーＣの先端に取り付けられたフックＧ３（不図示）がセンター吊り手２３に引っ掛けられる。
【００２９】
次に、１本目の手動ロープＨ１の先端部Ｉが取っ手Ｋ３に引っ掛けられ、中央部が２つ並んだ取っ手Ｋ４にＳ字形に引っ掛けられる（図１参照）。必要に応じて、２本目の手動ロープＨ２の先端部Ｉが取っ手Ｋ１に引っ掛けられ、中央部が２つ並んだ取っ手Ｋ２にＳ字形に引っ掛けられる（図１参照）。
【００３０】
次に、クレーンにより主ワイヤーＦが引っ張られると、主ワイヤーＦに支持される滑車Ｂが吊り上げられ、滑車Ｂに引っ掛けられた脇ワイヤーＤ１，Ｄ２及び脇ワイヤーＤ１，Ｄ２と継ぎ手フックＥで連結したセンターワイヤーＣが引っ張られる。したがって、脇ワイヤーＤ１，Ｄ２及びセンターワイヤーＣと連結された折り畳みハウス２５が吊り上げられ、折り畳みハウス２５は３点吊りの状態で上昇し、地面ＧＬから離れる。尚、３点吊りであるため、側壁１と側壁２の離間は広がらない。
【００３１】
次に、図５に示すように、地面ＧＬに少なくとも１つの三角工具枠Ｌが配置され、三角工具枠Ｌの頂点と主床９，１０の中心部が整合するように折り畳みハウス２５が位置決めされる。位置決め後、三角工具枠Ｌの上に折り畳みハウス２５を降下させて設置する。三角工具枠Ｌは、主床９，１０の展開及び折り畳みを補助する工具であって、１〜２名の作業員によって持ち運びできる程度の重さを有する。クレーン操作による位置決めが難しい場合には、作業員が手伝うようにしてもよい。三角工具枠Ｌの上に折り畳みハウス２５が設置されると、折り畳みハウス２５が自重により降下しつつ、三角工具枠Ｌによって主床９，１０が徐々に展開されていく。主床９，１０は、三角工具枠Ｌの傾斜面との摩擦により展開が途中で静止する。
【００３２】
クレーンがさらに降下すると、図６に示すように、側壁１と側壁２は、それぞれの自重により外側に傾き、側壁１の上部と側壁２の上部の離間が広がる。また、側壁１，２の重さが主屋根５，６の重さより重いため、側壁１の上部と側壁２の上部の離間の広がりに従って、脇ワイヤーＤ１，Ｄ２を介して継ぎ手フックＥが上方に引っ張られ、センターワイヤーＣを介して主屋根５と主屋根６との中心部が天頂方向に上る。したがって、主屋根５，６は展開する。
【００３３】
図６に示すように、折り畳みハウス２５が適度に展開されて均衡した時点で折り畳みハウス２５をクレーンで吊り上げると、側壁１，２の重さの方が主屋根５，６の重さより重いため、滑車Ｂの奥側が反時計周りに滑車Ｂの手前側が時計周りに回転しながら、図７に示すように、継ぎ手フックＥが滑車Ｂに向かって上昇し、センターワイヤーＣを介して主屋根５と主屋根６との中心部が天頂方向に上る。したがって、主屋根５，６がさらに展開される。このように、折り畳みハウス２５の形状が変化する過程で、図８（ａ）に示すように、主床９，１０の自重と側壁１，２が外側へ振れようとする応力により、側壁１と側壁２の下部の離間が広がろうとするため、図８（ｂ）及び（ｃ）に示すように、主に取っ手Ｋ３，Ｋ４に引っ掛けた手動ロープＨ１の握り部Ｊを複数回に渡って徐々に緩めたり、必要に応じて締めたりすることで、側壁１と側壁２を平行に保ちながら、主屋根５，６と主床９，１０が衝突又は接触せずに極力同時並行に展開するように適切に制御する。尚、展開に併せて折り畳みハウス２５は三角工具枠Ｌ上を滑り落ちる。
【００３４】
図９に示すように、継ぎ手フックＥが滑車Ｂに到達した状態で折り畳みハウス２５を吊り上げていくと、センターワイヤーＣと脇ワイヤーＤ１，Ｄ２とのバランスが保たれ、折り畳みハウス２５は展開された状態で三角工具枠Ｌから離れ、折り畳みハウス２５が吊り上がる。主屋根５，６及び主床９，１０の展開は完了し、主床９，１０と副床７，８は水平になる。一方、図１０に示すように、主屋根５，６は、丁番１２に取り付けられたセンター吊り手２３にセンターワイヤーＣに取り付けられたフックＧ３が引っ掛けられた状態で天頂方向に引っ張られているため、主屋根５と主屋根６は水平にならず、主屋根５と主屋根６との中心部の位置が主屋根５と主屋根６との中心部以外の位置と比べて高くなる。すなわち、主屋根５と主屋根６は、主屋根５と主屋根６との中心部を頂点に傾斜する。また、図１１に示すように、副屋根４の下面は、主床１０と平行になるが、主屋根５と主屋根６との中心部の位置が主屋根５と主屋根６との中心部以外の位置と比べて高くなっているため、副屋根４と丁番１３を介して接続された主屋根６は主床１０と非平行になる。
【００３５】
折り畳みハウス２５が三角工具枠Ｌから離れると、三角工具枠Ｌは作業員によって撤去される。その後、折り畳みハウス２５を降下させて地面ＧＬに着地させる。尚、折り畳みハウス２５を着地させた後も、主屋根５，６が自重による折り畳まれない程度の張力で専用ワイヤーＡにより折り畳みハウス２５を吊り上げたままにしておく。これにより、後述するように、妻壁５１ａ，５１を展開することができる。
【００３６】
次に、図１２及び図１３を参照して、妻壁５１ａ，５１ｂの展開について説明する。
【００３７】
図１２は、折り畳みハウス２５の断面図の一例である。図１２では、後述する折り畳みハウス２５のＢ−Ｂ断面図が示されている（図１４参照）。図１３は、妻壁５１ｂの一部と丁番１８を含む部分４００の拡大図である。
【００３８】
折り畳みハウス２５が地面ＧＬに着地すると、妻壁５１ａ，５１ｂを展開する作業が作業員によって行われる。図１２及び図１３に示すように、妻壁５１ｂの一端には、丁番１８が設けられている。丁番１８の一方の羽は妻壁５１ｂの一端に固定されている。丁番１８の他方の羽は側壁２の一端に固定されている。したがって、妻壁５１ｂは丁番１８を中心に妻壁５１ｂの他端が円弧を描くように動かすことができる。これにより、作業員は、妻壁５１ｂを側壁２に近づけて折り畳んだり、側壁２から遠ざけて展開したりすることができる。尚、側壁２にはドア４１及び窓４３が設けられている。ドア４１は妻壁５１ｂに設けられてもよい。
【００３９】
同様に、図１２に示すように、妻壁５１ａの一端には、丁番１９が設けられている。丁番１９の一方の羽は妻壁５１ａの一端に固定されている。丁番１９の他方の羽は側壁１の一端に固定されている。したがって、妻壁５１ａは丁番１９を中心に妻壁５１ａの他端が円弧を描くように動かすことができる。これにより、作業員は、妻壁５１ａを側壁１に近づけて折り畳んだり、側壁１から遠ざけて展開したりすることができる。尚、妻壁５１ａには換気口４５が設けられている。また、側壁１には窓４３が設けられている。妻壁５１ａにドア４１が設けられてもよい。
【００４０】
ここで、図１２に示すように、妻壁５１ａの他端の軌跡と妻壁５１ｂの他端の軌跡は、部分的に重なり合う。このため、例えば２人の作業員が同時に妻壁５１ａと妻壁５１ｂをそれぞれ押し進めると、側壁１，２の中央付近で妻壁５１ａと妻壁５１ｂが接触する。したがって、妻壁５１ａの妻壁５１ｂとの接触を回避するため、作業員は妻壁５１ａと妻壁５１ｂのいずれか一方の展開を完了させてから、妻壁５１ａと妻壁５１ｂのいずれか一方の展開を完了させることが要求される。
【００４１】
次に、図１４を参照して、折り畳みハウス２５の完成図について説明する。
【００４２】
図１４は、折り畳みハウス２５の斜視図の一例である。
妻壁５１ａ，５１ｂの展開が完了すると、図１４に示すように、専用ワイヤーＡが折り畳みハウス２５から取り外される。これにより、折り畳みハウス２５の展開が完了し、折り畳みハウス２５の使用が可能となる。妻壁５１ａ，５１ｂは展開しているため、主屋根５，６は妻壁５１ａ，５１ｂの上側面に載り、展開した状態を維持する。主屋根５，６は主屋根５と主屋根６との中心部を頂点に傾斜しているため、降雨による雨水は側壁１と側壁２の外側に流れる。このため、折り畳みハウス２５への雨漏りが抑えられる。また、折り畳みハウス２５の内部において、側壁１，２の四隅及び妻壁５１ａ，５１ｂの四隅には、筋カイ４７が必要に応じて設置される。これにより、折り畳みハウス２５の揺れに対する強度が増す。
【００４３】
ここで、例えば側壁１，２を高さ約２．７ｍ（メートル）と仮定した場合、副屋根４の下方に形成される空間に収容できる程度の長さを有する主床９，１０を考慮すると、展開により副床７，８の幅を含めて妻幅５．５ｍ程度の折り畳みハウス２５を実現することができ、従来の妻幅３．２ｍより妻幅を大きく広げることができる。副床７の上方に形成される空間に収容できる程度の長さを有する主屋根５，６を考慮しても同様である。
【００４４】
また、例えば側壁１，２を長手方向の幅（桁幅）を４ｔ（トン）トラックの荷台の長さ程度に相当する約７．２ｍ、副床７，８の幅を含めた妻幅３．６ｍ程度の折り畳みハウス２５を実現してもよい。展開後の折り畳みハウス２５内部の中央に脚部が折り畳める２つの長机を配置した場合、長机と側壁１（又は側壁２）の間を窮屈せずに移動することができる。さらに、完成した折り畳みハウス２５を３つ用意して、例えば側壁１と側壁２が向かい合うように並べて配置すれば、学校の教室の面積に相当する６３平方メートル〜６６平方メートルより広い７８平方メートルの面積を得ることができる。例えば、側壁１，２の各中心部にドア４１を設ければ、折り畳みハウス２５の間を自由に行き来することができる。
【００４５】
尚、この場合、折り畳みハウス２５を折り畳むと、側壁１と側壁２の間は幅６４ｃｍ程度となり、４ｔトラックの荷台が幅２ｍ程度であると仮定すると、折り畳まれた状態の折り畳みハウス２５を１台のトラックに３つ積載することができる。したがって、災害などにより校舎が倒壊しても、迅速に授業を再開することができる。尚、ヘリコプターといった航空機により折り畳まれた状態の折り畳みハウス２５を１つずつ移送するようにしてもよい。
【００４６】
以上説明した実施形態では、折り畳まれた状態の折り畳みハウス２５を展開する作業を説明したが、展開した状態の折り畳みハウス２５を折り畳む作業については、基本的に上述した作業工程と逆の作業工程を実施すればよい。以下に、展開した状態の折り畳みハウス２５を折り畳む作業について簡単に説明する。
【００４７】
まず、展開している折り畳みハウス２５に専用ワイヤーＡが連結され、地面ＧＬから離れない程度に折り畳みハウス２５が吊り上げられる。この状態で、妻壁５１ａ，５１ｂが折り畳まれる。妻壁５１ａ，５１ｂが折り畳まれると、三角工具枠Ｌを設置できる高さまで折り畳みハウス２５が吊り上げられる。折り畳みハウス２５は、図９に示すように、主床９と主床１０との中心部と三角工具枠Ｌの頂点が整合するよう位置決され、クレーンにより降下させて、図７に示すように、三角工具枠Ｌの上に設置する。折り畳みハウス２５は三角工具枠Ｌの上を自重により降下し、主床９，１０の中心部は三角工具枠Ｌの頂点により突き上げられ適度に折り畳まれる。
【００４８】
主床９，１０が適度に折り畳まれた状態で、主に取っ手Ｋ１及び取っ手Ｋ２に引っ掛けられた手動ロープＨ２が折り畳みハウス２５から離れる方向に引っ張られると、図７から図６にかけて示すように、主屋根５，６が折り畳まれるとともに側壁１，２の上部の離間が近づいていき、図５に示すように、主屋根５，６が概ね折り畳まれた状態になる。手動ロープＨ２の中央部が取っ手Ｋ２に巻きつけられた状態で、折り畳みハウス２５が更に吊り上げられると、側壁１，２の上端を中心とした側壁１，２の内側に振れる応力により、主床９と主床１０の中心が突きあがり、主床９，１０が折り畳まれ、側壁１，２の下部の離間が近づく。折り畳まれる過程で、主屋根５，６と主床９，１０が衝突又は接触せずに極力同時並行に折り畳まれ、かつ、側壁１と側壁２が極力平行な状態を保つように手動ロープＨ２が複数回適切に制御されることが望ましい。
【００４９】
以上により、折り畳みハウス２５が折り畳まれる。折り畳みハウス２５の折り畳みが完了すると、例えば手動ロープＨ２の中央部が取っ手Ｋ２にきつく巻きつけられる。この状態で折り畳みハウス２５がクレーンによって吊り上げられると、主屋根５，６は展開されず、脇ワイヤーＤ１，Ｄ２とセンターワイヤーＣとのバランスが保たれた状態で、折り畳まれた折り畳みハウス２５は吊り上がる。折り畳みハウス２５がクレーンによって吊り上げられると、三角工具枠Ｌが除去され、折り畳みハウス２５はクレーンによって地面ＧＬに着地する。折り畳まれた状態の折り畳みハウス２５が着地すると、専用ワイヤーＡが折り畳みハウス２５から外される。尚、地面ＧＬに着地させずにトラックの荷台に載置させてもよい。
【００５０】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、上述した実施形態では、主吊り手１７ａ，１７ｂを１つずつ利用したが、図１４に示すように、主吊り手１７ａ，１７ｂをそれぞれ２つずつ利用し、４本の脇ワイヤーを利用するようにしてもよい。
【符号の説明】
【００５１】
１，２  側壁
５，６  主屋根
９，１０  主床
２５  折り畳みハウス
４１  ドア
５１ａ，５１ｂ  妻壁
Ａ  専用ワイヤー
Ｂ  滑車
Ｃ  センターワイヤー
Ｄ１，Ｄ２  脇ワイヤー
Ｆ  主ワイヤー
Ｈ１，Ｈ２  手動ロープ
Ｌ  三角工具枠
【要約】
移送時に大きさを縮小できる折り畳みハウスであって、ロープの締緩により離間が制御される互いに向き合う２枚の第１壁と、折り畳まれた状態の長さが前記第１壁の高さの半分より長く、展開中に中心部が上方に開くようにその第１の中心線で折り畳むことができ、かつ、ワイヤーにより前記第１壁の重さが利用されて展開が制御される屋根、折り畳まれた状態の長さが前記第１壁の高さの半分より長く、展開中に中心部が下方に開くようにその第２の中心線で折り畳むことができ、かつ、前記第２の中心線が前記第１の中心線からずれている床、及び、前記屋根及び前記床を折り畳むまでは内部で折り畳むことができ、その中心部で折り畳み不能な２枚の第２壁を有する折り畳み部と、前記２枚の第１壁又は前記２枚の第２壁のいずれかにある少なくとも１つの扉と、を含めることで、折り畳まれた折り畳みハウスの高さ以上の妻幅を有し、円滑かつ安全に設置可能とした。【図１】
0005702035.tif 000002
【図２】
0005702035.tif 000003
【図３】
0005702035.tif 000004
【図４】
0005702035.tif 000005
【図５】
0005702035.tif 000006
【図６】
0005702035.tif 000007
【図７】
0005702035.tif 000008
【図８】
0005702035.tif 000009
【図９】
0005702035.tif 000010
【図１０】
0005702035.tif 000011
【図１１】
0005702035.tif 000012
【図１２】
0005702035.tif 000013
【図１３】
0005702035.tif 000014
【図１４】
0005702035.tif 000015